(57)【要約】      （修正有）【課題】小型で分解保管、運搬が容易で、ワンタッチで組立てて、マンションやアパート等の建築現場の各部屋の内部まで建材を容易に搬入することができる運搬台車を提供する。【解決手段】底部に自在キャスター５を取付け、前後両側面に支持フレーム３の受け部を設けた台車２と、横方向に積載ベース部８を設け、この端部に縦方向に運搬物の建材側面支持部を設けた側面Ｌ形の２個のＬ形フレーム１１を、その側面支持部が側面逆Ｖ形になるようにその上部を開閉自在に連結した支持フレーム３とからなり、側面支持部の下部を台車２の受け部に着脱自在に取付けて、左右の積載ベース部８に運搬物を載置して運搬するようにした。【選択図】図１
0003207682.tif 000002
【実用新案登録請求の範囲】
【請求項１】
底部に自在キャスターを取付け、前後両側面に支持フレームの受け部を設けた台車と、横方向に積載ベース部を設け、この端部に縦方向に運搬物の側面支持部を設けた側面Ｌ形の２個のＬ形フレームを、その側面支持部が側面逆Ｖ形になるようにその上部を開閉自在に連結した支持フレームとからなり、前記側面支持部の下部を台車の受け部に着脱自在に取付けて、左右の積載ベース部に運搬物を載置して運搬するようにしたことを特徴とする運搬台車。
【請求項２】
支持フレームの積載ベース部に、延長ベース部を着脱自在に取付けたことを特徴とする請求項１記載の運搬台車。
【請求項３】
請求項１記載の運搬台車に、更に台車の底部に一方のストッパー部材を取付け、建材の取り入れ口に左右の凹型のレールを敷設し、ここに運搬台車の自在キャスターを配置し、凹型のレールの間にこれに沿ってストッパー取付けレールを設け、このストッパー取付けレールに他方のストッパー部材を取付けた構成をなし、前記両ストッパー部材を固定した状態で、台車の積載ベース部に運搬物を載置してから、ストッパーを外して台車を押して、レールから床面を走行させて運搬するようにしたことを特徴とする運搬台車。
【考案の詳細な説明】
【技術分野】
【０００１】
本考案は、石膏ボードや下地材などの建材をマンションやアパート等の居住空間にドアから搬入する運搬装置に関するものである。
【背景技術】
【０００２】
ビルの内装壁として石膏ボードが多く使用されているが、この石膏ボードは例えば縦９１０ｍｍ、横９１０ｍｍ、あるいは縦９１０ｍｍ、横１８２０ｍｍの長尺物で重量も重い。従来のビルの建築現場に石膏ボードを取り入れる作業は、１階の場合には手降ろしで、数枚ずつ手で持って施工現場まで運搬している。また２階以上の場合にはレッカーで吊り上げて、外壁に架設した取り込み用ステージに降ろし、ここから数枚ずつ台車に載せて施工現場まで運搬している。
【０００３】
この手降ろしによる取り入れ作業は、重量が重く体力を消耗する重労働であり、特に夏場の気温の高い場合には体力の消耗が激しく、次の工程での作業に注意力が低下し安全上の問題がある上、作業意欲が低下し作業効率が悪くなる問題があった。
【０００４】
このため本考案者は先に、ベース部材の底面に左右の自在キャスターを取付けた２台の台車部材と、これを連結する連結部材と、前記自在キャスターが走行する左右の凹型のレールとから構成され、左右の凹型のレールをマンション等の建物の取入れ口に設置し、左右の凹型のレールの上に２台の台車部材を運搬する運搬物の長さに合わせて間隔をおいて配置して連結部材で連結して台車を組立てた状態で、台車に運搬物を載置してから、台車を押して、レール上を開口端から床面や地面を走行する運搬装置（特許文献１）を開発した。
【０００５】
しかしながら、これは２台の台車部材を運搬するので台車が長くなり、マンション等の入り口に取り込む場合には好適であるが、取り入れてから各部屋に搬送する場合には、狭いドア取付け部分の開口部を通過できない。このため従来は部屋の前まで台車で運搬し、部屋の内部には手作業により作業者が搬入していた。
【０００６】
また板ガラスやベニヤ板、石膏ボードなどの薄形矩形物を運搬する装置としては、架台の主要部を構成する枠体と、搬送物を支持する背板とからなり、背板を枠体に対して位置調節可能に構成すると共に、紐体を位置調節可能に固定する機構を設け、かつ枠体から前方に突出する腕材を配設してこの腕材に第２の背板を位置調節可能に配置したもので、この架台をトラックの荷台に搭載し、架台の縦方向の移動を規制する架台固定手段で架台を固定して搬送するようにした薄形矩形物等搬送装置（特許文献２）もある。
【０００７】
この搬送装置は薄形矩形物を第２の背板に立て掛けて固定し、この架台をトラックの荷台に載せて搬送するものであり、大型で重量が重く、小さく分解して保管や運搬ができず、マンションの各部屋に搬送する場合には、狭いドア取付け部分の開口部から搬入できない問題があった。
【先行技術文献】
【特許文献】
【０００８】
【特許文献１】特許第５８９６４９９号公報
【特許文献２】特開平９−１１８２３６
【考案の開示】
【考案が解決しようとする課題】
【０００９】
本考案は上記問題を改善し、小型で分解保管、運搬が容易で、ワンタッチで組立てて、マンションやアパート等の建築現場の各部屋の内部まで建材を容易に搬入することができる運搬台車を提供するものである。
【課題を解決するための手段】
【００１０】
本考案の請求項１記載の運搬台車は、底部に自在キャスターを取付け、前後両側面に支持フレームの受け部を設けた台車と、横方向に積載ベース部を設け、この端部に縦方向に運搬物の側面支持部を設けた側面Ｌ形の２個のＬ形フレームを、その側面支持部が側面逆Ｖ形になるようにその上部を開閉自在に連結した支持フレームとからなり、前記側面支持部の下部を台車の受け部に着脱自在に取付けて、左右の積載ベース部に運搬物を載置して運搬するようにしたことを特徴とするものである。
【００１１】
本考案の請求項２記載の運搬台車は、請求項１において、支持フレームの積載ベース部に、延長ベース部を着脱自在に取付けたことを特徴とするものである。
【００１２】
本考案の請求項３記載の運搬台車は、請求項１記載の運搬台車に、更に台車の底部に一方のストッパー部材を取付け、建材の取り入れ口に左右の凹型のレールを敷設し、ここに運搬台車の自在キャスターを配置し、凹型のレールの間にこれに沿ってストッパー取付けレールを設け、このストッパー取付けレールに他方のストッパー部材を取付けた構成をなし、前記両ストッパー部材を固定した状態で、台車の積載ベース部に運搬物を載置してから、ストッパーを外して台車を押して、レールから床面を走行させて運搬するようにしたことを特徴とするものである。
【考案の効果】
【００１３】
本考案に係る請求項１記載の運搬台車によれば、小型で台車と支持フレームに分解でき、支持フレームは更に小さく折り畳むことができ、保管、運搬が容易である。またマンションやアパート等の建築現場の各部屋の内部まで建材を容易に搬入することができ、従来、数枚ずつ担いで部屋に搬入していた作業に比べて５倍以上作業性が向上し、搬入作業の時間短縮と、作業者の疲労低減を図り、重労働から開放されて労働環境の安全性を向上させると共に、次の工程での作業意欲を維持することができる。
【００１４】
また請求項２記載の運搬台車によれば、支持フレームの積載ベース部に、延長ベース部を着脱自在に取付けたので、長尺の運搬物を運搬する場合に安定して運搬することができる。
【００１５】
また請求項３記載の運搬台車によれば、台車に一方のストッパー部材を取付け、建設中のマンションやアパートの建材の取り入れ口に左右の凹型のレールを敷設し、ここに運搬台車の自在キャスターを配置し、凹型のレールの間にこれに沿ってストッパー取付けレールを設け、このストッパー取付けレールに他方のストッパー部材を取付けた構成なので、ストッパーで固定した状態で、台車の積載ベース部に運搬物を載置してから、ストッパーを外して台車を押して、レールの開口端から床面を走行させて運搬することができるので、大幅に作業性を向上させることができる。
【図面の簡単な説明】
【００１６】
【図１】本考案の実施の一形態による運搬台車の正面図である。
【図２】図１に示す運搬台車の側面図である。
【図３】運搬台車を構成する台車を示す平面図である。
【図４】図３に示す台車の正面図である。
【図５】運搬台車の支持フレームを示す斜視図である。
【図６】支持フレームを折り畳んだ状態を示す正面図である。
【図７】運搬台車を用いて建物の２階に建材を取り入れている状態を示す側面図である。
【図８】運搬台車を凹型のレールに配置した状態を示す正面図である。
【図９】台車に取付けた一方のストッパー部材と、ストッパー取付けレールに取付けた他方のストッパー部材を示す斜視図である。
【図１０】本考案の異なる他の実施の形態による積載ベース部の前後に、延長ベース部を取付けた状態を示す支持フレームの平面図である。
【考案を実施するための最良の形態】
【００１７】
以下本考案の実施の一形態を図１ないし図６を参照して詳細に説明する。図において１は運搬台車を示すもので、台車２と支持フレーム３とを組合わせて形成されている。台車２は図３および図４に示すように台車本体４の底部に４個の自在キャスター５を取付け、前後両側面に角パイプで形成された支持フレームの受け部６がその上部を互いに内向きになるように２個ずつ斜めに取付けられている。更に台車本体４の中央底部には一方のストッパー部材３０Ａが取付けられている。
【００１８】
また支持フレーム３は図５に示すように、横方向に積載ベース部８を設け、この端部に縦方向に石膏ボードなど建材の側面を支持する建材側面支持部１０をヒンジ１２で開閉自在に連結した構造となっている。積載ベース部８と建材側面支持部１０を組合わせた側面Ｌ形の２個のＬ形フレーム１１は、左右の建材側面支持部１０の上部をヒンジ１３で開閉自在に連結すると共に、ヒンジ１３を開いた時に、両建材側面支持部１０の間が側面逆Ｖ形になるようになっている。この両建材側面支持部１０の逆Ｖ形の開き角度は図１に示すように左右の積載ベース部８に石膏ボードなどの建材２０を積載した状態でその上部が当らないように約７度に設定されている。
【００１９】
また前記積載ベース部８は角パイプで四角枠状に形成され、この前後の２辺の上にゴムマット１６が取付けられている。また両側の積載ベース部８の横方向の端部にはストッパー１８が取付けられている。
【００２０】
更に図１に示すように積載ベース部８の底部には角パイプで形成された角度調整部１９が取付けられ、支持フレーム３を台車２に取り付けて建材側面支持部１０の下部を支持フレームの受け部６に挿着すると、角度調整部１９が台車本体４の上に接触した状態となる。この結果、積載ベース部８と建材側面支持部１０の間の開き角度が９０度になるようになっている。この状態で左右の幅は例えば約６６０ｃｍに作成され、部屋のドアの入り口幅の７００ｃｍより狭く形成されている。
【００２１】
前記支持フレーム３は図６に示すように、保管や運搬する時には左右のＬ形フレーム１１を折り畳み、建材側面支持部１０に積載ベース部８を矢印方向に折り畳んでＬ形フレーム１１の建材側面支持部１０に接触させてコンパクトな状態にし、また台車２はそのままで現場に運搬する。
【００２２】
建材２０の運搬現場では図６に仮想線で示すように、ヒンジ１２で連結された積載ベース部８を広げてから、図５に示すようにヒンジ１３で連結された左右の建材側面支持部１０を側面逆Ｖ形になるように開いて、台車２の上に載せ、図１に示すように左右の建材側面支持部１０の下部を台車２の支持フレームの受け部６に挿着して、積載ベース部８を台車本体４の上面に広げると、角度調整部１９が接触して直角になる。
【００２３】
例えば建設中のマンションの各部屋に石膏ボードなどの建材２０を搬入する場合、取入れ口から取り込んだ建材２０を運搬台車１の左右の積載ベース部８に、左右と前後のバランスを取って載せてから、荷縛りベルト２１で固定する。この後、運搬台車１の後ろ側から作業者が手で押しながら廊下の床面２６を運搬し、建設中の部屋のドア取付け部分の開口部から室内に搬入する。
【００２４】
部屋のドア取付け部分の開口部幅は約７００ｃｍ程度であり、運搬台車１の幅はこれより狭い約６６０ｃｍに作成されているので、大量の建材２０を積載した運搬台車１は楽に通過することができ、従来数枚ずつ担いで部屋に搬入していた作業に比べて５倍以上作業性が向上し、搬入作業の時間短縮と、作業者の疲労低減を図ることができる。
【００２５】
次にマンションやアパートなどの建物２３の２階に取入れる場合について説明する。図７に示すように建物２３の取り入れ口２４の前に取り込み用ステージ２５を取付け、この上と２階の床面２６に２本の凹型のレール２７を敷設する。凹型のレール２７は、建物の内部側が開放し、外部側の先端側にタイヤ止めを設けて閉塞した構造をなし、左右の凹型のレール２７の間には図８に示すようにストッパー取付けレール２８が凹型のレール２７の間にこれに沿って設けられている。
【００２６】
ストッパー取付けレール２８は図９に示すように角パイプで形成され、その上部には他方のストッパー部材３０Ｂが取付けられている。このストッパー部材３０Ｂの上部側の側面にはコ字形状の溝３１が形成され、ここにバネ材で形成されたコ字形状の保持金具３２が挿着されている。このストッパー部材３０Ｂはストッパー取付けレール２８の上を締付けノブ３３で、その取付け位置を調整できるようになっている。
【００２７】
また一方のストッパー部材３０Ａは台車本体４Ａの底面中央部に下方に向かって突設されている。このストッパー部材３０Ａは、ブラケット３５に円柱体３６を固定した構造をなし、この円柱体３６が他方のストッパー部材３０Ｂのコ字形状の保持金具３２に嵌合することにより、運搬台車１をストッパー取付けレール２８にロックして固定するようになっている。
【００２８】
上記構成の運搬台車１を凹型のレール２７の先端側に移動させて、運搬台車１の一方のストッパー部材３０Ａと、ストッパー取付けレール２８の他方のストッパー部材３０Ｂとを嵌合させてロックさせる。この状態で図７に示すようにトラックで数十枚束ねて運搬されてきた石膏ボードなどの建材２０をレッカー３８で吊り上げて運搬台車１の上に吊り下げて左右の積載ベース部８に載置する。
【００２９】
この時、水平吊りでないとバランスが崩れて脱輪する恐れがあるが、運搬台車１がストッパー３０で取付けレール２８に固定されているので脱輪を防止して安定して積込むことができる。
【００３０】
次に運搬台車１を手で押してストッパー３０が解除されたら、凹型のレール２７の上を走行して建物２３内に運搬し、開放された端部からそのまま床面２６を走行する。運搬台車１は四隅に自在キャスター５が取付けられているのでどの方向にも運搬することができる。このようにして建材２０を壁に取付ける部屋の手前に来たら、部屋のドア取付け部分の開口部から室内に搬入する。
【００３１】
本考案の運搬装置１は、従来の人力による作業に比べて、作業性を５倍以上向上させることができ作業時間を大幅に短縮できる。このため作業者は重労働から開放されて疲労も少なく、次の工程での作業意欲を維持することができる。この結果、全体として工期の短縮、施工費用の低減と労働環境の安全性を向上させることができる。
【００３２】
図１０は本考案の他の実施の形態による運搬台車１である。これは積載ベース部８の前後に延長ベース部４０を伸縮および着脱自在に取付けたものである。前記延長ベース部４０は、角パイプ４１の両端に２本の丸パイプ４２を平面コ字形に取付け、角パイプ４１の上にゴムマット１６を取付けたものである。この丸パイプ４２を、積載ベース部８を構成する角パイプの前後に挿着し、所定の長さでパイプ固定具４３により固定したものである。
【００３３】
これは積載ベース部８の面積が拡大されるので長尺の足場材の運搬に好適で、収納する場合は、図６のように支持フレーム３と延長ベース部４０を納めた積載ベース部８を折り畳むことによりコンパクトになる。
【００３４】
また上記説明では石膏ボードなどの建材２０を建物２３内に取り入れる場合について示したが、車道のわき道のトラックが入れない狭い道の奥の建設現場に搬入する場合に、道に凹型のレール２７を敷設して搬入するようにしても良い。この場合、凹型のレール２７はアールを設けて湾曲させても良い。また運搬する建材２０は石膏ボードに限らず、軽量コンクリートパネルや、コンパネ、束ねた小径のパイプなどの運搬に広く適用することができる。また建築現場だけでなく工場内で部品や製品、または農産物を運搬する場合にも使用することができる。
【符号の説明】
【００３５】
１  運搬台車                  
２  台車                      
３  支持フレーム                                            
４  台車本体                                                
５  自在キャスター                                          
６  支持フレームの受け部                                    
８  積載ベース部                                            
９  石膏ボード                                              
１０  建材側面支持部                                        
１１  Ｌ形フレーム                                          
１２  ヒンジ                                                
１３  ヒンジ                                                
１６  ゴムマット                                            
１８  ストッパー
１９  角度調整部
２０  建材      
２１  荷縛りベルト
２３  建物  
２４  取り入れ口  
２５  取り込み用ステージ
２６  床面  
２７  凹型のレール  
２８  ストッパー取付けレール
３０  ストッパー
３０Ａ  一方のストッパー部材  
３０Ｂ  他方のストッパー部材  
３１  コ字形状の溝
３２  保持金具      
３３  締付けノブ  
３５  ブラケット  
３６  円柱体  
３８  レッカー  
４０  延長ベース部
４１  角パイプ      
４２  丸パイプ  
４３  パイプ固定具  
【図１】
0003207682.tif 000003
【図２】
0003207682.tif 000004
【図３】
0003207682.tif 000005
【図４】
0003207682.tif 000006
【図５】
0003207682.tif 000007
【図６】
0003207682.tif 000008
【図７】
0003207682.tif 000009
【図８】
0003207682.tif 000010
【図９】
0003207682.tif 000011
【図１０】
0003207682.tif 000012